(57)【要約】【課題】  施工性がよく、器具落下を防止できるとともに、小孔部を長くすることなく、座金をブッシングで係止することができる抜止めブッシングおよび照明器具を提供する。【解決手段】  器具本体２に設けられ、大孔部１４とこれに連続する小孔部１５からなるだるま穴３の大孔部１４に装着する抜止めブッシングである。大孔部１４に圧入できる弾性を有する圧入部１７と、圧入部１７の後端に形成され圧入部１７が大孔部１４に圧入された状態で大孔部１４の周縁に係止するつば部１８とを有する。また圧入部１７が大孔部１４に圧入された状態で座金６を逃げる切欠部２１を形成している。【選択図】        図１
2006038083.tif 000002
【特許請求の範囲】
【請求項１】
吊り材により吊り下げられる被吊り下げ体に設けられた大孔部とこれに連続する小孔部からなるだるま穴の前記大孔部に装着され、前記吊り材に設けられたナット、座金付ナット、ボルト頭部または座金付頭部を有するボルトに前記小孔部の周縁が載せられて前記被吊り下げ体が係止状態にあるときに前記ボルトが前記小孔部から前記大孔部へ移動するのを阻止する抜止めブッシングであって、
前記大孔部に圧入して前記大孔部を塞ぐ弾性を有する圧入部と、前記圧入部の後端に形成され前記圧入部が前記大孔部に圧入された状態で前記大孔部の周縁に係止するつば部と、
前記つば部または前記圧入部と前記つば部の双方に形成されて前記圧入部が前記大孔部に圧入された状態で前記小孔部に対向し前記小孔部の前記ナット、前記座金付ナット、前記ボルト頭部または前記座金付頭部を逃げる切欠部とを有することを特徴とする抜止めブッシング。
【請求項２】
前記だるま穴の縁部において、前記小孔部と前記大孔部の境界に座金移動防止用突起部を有し、前記つば部は前記突起部に当たって前記圧入部の回動を防止する突起を有する請求項１記載の抜止めブッシング。
【請求項３】
前記切欠部は、前記切欠部に前記ナット、前記ボルト頭部または前記座金が当たった場合に前記つば部を前記大孔部の周縁に押付ける傾斜を有する請求項１または請求項２記載の抜止めブッシング。
【請求項４】
前記圧入部は前記つば部側の端面に開口する凹部を有し、前記凹部内において前記切欠部より前記切欠部から離れる方向に延びる把持部を突設した請求項１記載の抜止めブッシング。
【請求項５】
請求項１から請求項４のいずれか１項記載の抜止めブッシングを装着しただるま穴を有する照明器具。
【発明の詳細な説明】
【技術分野】
【０００１】
本発明は、抜止めブッシングおよび照明器具に関するものである。
【背景技術】
【０００２】
天井の吊りボルトに照明器具を取付ける場合、第１の従来例は、器具本体に例えばφ２０ｍｍの丸穴、または例えば１２ｍｍ×２０ｍｍの長穴などからなる取付穴を設け、吊りボルトに取付穴を貫通させ、座金を介してナットを締めつけ、照明器具を天井の埋め込み穴の縁部に固定する。
【０００３】
第２の従来例は、器具本体に大孔部と小孔部からなるだるま穴を設け、吊りボルトにねじ込んだナットおよび座金をだるま穴の大孔部に挿通し、器具本体を動かして吊りボルトを小孔部に移動させその孔縁にナットを係止してナットを締付ける。なお小孔部からナットが大孔部に移動するのを阻止する突起部を設けることもある。第２の従来例は器具本体を仮止めできるので、省施工である。とくに近年、省施工を目的としてだまる穴を備えた照明器具が増大している。
【０００４】
第３の従来例は、ナットおよび座金が突起部を乗り越えてボルトがだるま穴の小孔部から大孔部に移動するのを阻止する抜止め部材として、図６に示すようにだるま穴１００の大孔部１０１に予め抜止めブッシング１０２を設けている。この抜止めブッシング１０２は、大孔部１０１と小孔部１０３の境界の両側から境界の中央に延びかつ先端が大孔部１０１側から小孔部１０３側に突出する一対の弾性係止片１０４を設け、大孔部１０１に挿通された吊りボルトを小孔部１０３に移動する際には一対の弾性係止片１０４が開いて小孔部１０３に移動できるが、反対方向への移動の際には一対の弾性係止片１０４が閉じて移動しにくくなり、吊りボルトが小孔部１０３から大孔部１０１に移動するのを防止している（特許文献１参照）。
【特許文献１】特開平７−７３７２１号公報
【発明の開示】
【発明が解決しようとする課題】
【０００５】
第１の従来例は、吊りボルトに器具本体の取付穴を貫通させて、座金を介してナットを締めつけるため、器具の重量が大きいときなどは施工性が悪い。
【０００６】
第２の従来例は、上記したように仮止めできるので施工性は良いが、ナットの締付けが不十分な場合や、地震や振動があった場合などに、吊りボルトのナットおよび座金が移動防止用の突起部を乗り越える可能性がある。
【０００７】
第３の従来例は、抜止めブッシング１０２により吊りボルトが小孔部１０３から大孔部１０１へ移動するの阻止できるが、だるま穴１００の大孔部１０１を吊りボルトに挿通する前に予め抜止めブッシング１０２を大孔部１０１に装着しておく必要があり、器具施工前の器具の取扱い時に抜止めブッシング１０２が外れて紛失したり、器具施工時に大孔部１０１を吊りボルトを挿通する際に抜止めブッシング１０２が吊りボルトに当たって抜止めブッシング１０２が外れるおそれがあり、また吊りボルトを大孔部１０１から小孔部１０３に移動する際に弾性係止部１０４をその弾性に抵抗して通過する必要があるため、施工性を悪くしている。さらに大孔部１０１に接近離間する方向の小孔部１０３の長さを短くすると、ナットおよび座金が大径部１０１側に接近しあるいは入り込むため、座金が抜止めブッシング１０２に乗り掛かった状態で固定されて座金を抜止めブッシング１０２で係止できないことがある。抜止めブッシング１０２がナットや座金等を係止せず、吊りボルトのみを係止する場合には吊りボルトが弾性係止部１０４を押すことにより弾性係止部１０４を大孔部１０１側に押し開くおそれもある。一方小孔部１０３を長くすると器具本体の強度が弱くなる。
【０００８】
したがって、本発明の目的は、施工性がよく、器具落下を防止できるとともに、小孔部を長くすることなく、座金をブッシングで係止することができる抜止めブッシングおよび照明器具を提供することである。
【課題を解決するための手段】
【０００９】
本発明の抜止めブッシングは、吊り材により吊り下げられる被吊り下げ体に設けられた大孔部とこれに連続する小孔部からなるだるま穴の前記大孔部に装着され、前記吊り材に設けられたナット、座金付ナット、ボルト頭部または座金付頭部を有するボルトに前記小孔部の周縁が載せられて前記被吊り下げ体が係止状態にあるときに前記ボルトが前記小孔部から前記大孔部へ移動するのを阻止する。圧入部は前記大孔部に圧入して前記大孔部を塞ぐ弾性を有する。つば部は前記圧入部の後端に形成され前記圧入部が前記大孔部に圧入された状態で前記大孔部の周縁に係止する。切欠部は前記つば部または前記圧入部と前記つば部の双方に形成されて前記圧入部が前記大孔部に圧入された状態で前記小孔部に対向し前記小孔部の前記ナット、前記ボルト頭部、前記座金付ナットまたは前記座金付頭部を逃げる。
【００１０】
上記構成において、前記だまる穴の縁部は、前記小孔部と前記大孔部の境界に座金移動防止用突起部を有し、前記つば部は前記突起部に当たって前記圧入部の回動を防止する突起を有する。
【００１１】
上記構成において、前記切欠部は、前記切欠部に前記ナット、前記ボルト頭部または前記座金が当たった場合に前記つば部を前記大孔部の周縁に押付ける傾斜を有する。
【００１２】
上記構成において、前記圧入部は前記つば部側の端面に開口する凹部を有し、前記凹部内において前記切欠部より前記切欠部から離れる方向に延びる把持部を突設している。
【００１３】
本発明の照明器具は、上記抜止めブッシングを装着しただるま穴を有する。
【発明の効果】
【００１４】
本発明の抜止めブッシングによれば、例えば大孔部よりボルトを小孔部に移動しボルト頭部、座金付頭部、ボルトに螺通したナットまたは座金付ナットを小孔部の縁部に係止し、この状態で大孔部に抜止めブッシングを装着する。これにより施工性よく器具落下を防止することができる。しかも抜止めブッシングに切欠部を設けたため、ナットや座金をブッシングで係止することができるとともに、ボルトを小孔部に移動した後抜止めブッシングを大孔部に装着するとき抜止めブッシングが座金に重ならないので座金で抜止めブッシングが外されることがない。
【００１５】
圧入部の回動を防止する突起を設けると、抜止めブッシングの回動により抜止めブッシングが大孔部から外れるのを防止できる。
【００１６】
切欠部に傾斜を付けると、切欠部に座金が当たった場合につば部を大孔部の縁部に押付けられるので、切欠部に座金が当たることにより、抜止めブッシングが大孔部から外れるのを防止できる。
【００１７】
抜止めブッシングの凹部に把持部を設けると、抜止めブッシングの装着が容易になるとともに把持部で切欠部を補強することができる。
【発明を実施するための最良の形態】
【００１８】
本発明の第１の実施の形態を図１および図２により説明する。まず被吊り下げ体となる照明器具およびその施工について説明する。器具本体２は中央部に安定器８および端子台９を取付け、安定器８と器具本体２の両端との間にだるま穴３を形成し、器具本体２の両端にランプソケット１１を取付けている。また安定器８、端子台９およびだるま穴３を覆うように反射板１０が器具本体２に取付けられ、反射板１０の両端より反射板１０の前側に突出したランプソケット１１間に直管のランプ１２が装着される。１３は端子台９に接続される電源線である。
【００１９】
照明器具を取付ける天井板４には吊り材となる天井躯体（下地）より垂下した吊りボルト１の位置に埋め込み穴５を設け、埋め込み穴５に器具本体２を嵌合し、吊りボルト１にだるま穴３の大孔部１４を挿通し、吊りボルト１にねじ込んだナット７およびナット７に付した座金６で器具本体２を締めつけ、埋め込み穴５に固定する。
【００２０】
器具本体２のだるま穴３は、吊りボルト１に螺通されたナット７およびナット７に付する座金６を挿通する大孔部１４と、大孔部１４に連通して大孔部１４より小さい幅でナット７および座金６は挿通しないが、吊りボルト１を挿通する小孔部１５とで構成されている。だるま穴３の縁部の大孔部１４と小孔部１５との境界に突起部１６を設け、ナット７および座金６が小孔部１５から大孔部１４に移動するのを防止する。
【００２１】
抜止めブッシング２０は、吊りボルト１に挿通する器具本体２のだるま穴３の大孔部１４に装着される。この抜止めブッシング２０は、例えばゴムまたは弾性を有する樹脂を用いた弾性材であり、圧入部１７と圧入部１７の後端部外周に突設したつば部１８を有する。圧入部１７のつば部１８側は凹部１９を形成し、圧入部１７を大孔部１４に合わせた円形の略有天筒状に形成することにより弾性を良好にしている。圧入部１７のつば部１８側を手で押しその弾性を利用して先端から大孔部１４に押し込むことにより、圧入部１７を大孔部１４に圧入し大孔部１４を塞ぐ。つば部１８は圧入部１７が大孔部１４に圧入された状態で大孔部１４の周縁に係止する。切欠部２１は、圧入部１７およびつば部１８を含む円周面の一部を軸方向に平行な平面で切除することにより形成し、大孔部１４に圧入部１７が圧入された状態で小孔部１５に対向し小孔部１５に位置するナット７や座金６が圧入部１７やつば部１８に当たるのを逃げている。
【００２２】
抜止めブッシング２０の使用方法は、まず先に小孔部１５に吊りボルト１のナット７を係止する。すなわち、ナット７および座金６の付いた吊りボルト１に器具本体２のだるま穴３の大孔部１４を挿通し、器具本体２を横に移動して吊りボルト１を小孔部１５に移動し、座金６およびナット７を小孔部１５の周縁に係止して仮吊りとし、さらにナット７を締付けて器具本体３を天井板４の埋め込み穴５の縁部に本固定する。このとき座金６の周縁部が突起部１６に係止し、大孔部１４へのスライド移動が阻止され器具落下を防止することができる。
【００２３】
つぎに、大孔部１４に抜止めブッシング２０の圧入部１７を圧入して大孔部１４を塞ぎ、つば部１８を大孔部１４の周縁に係止する。これによりナット７の締付け不十分な場合や、地震、振動などでナット７や座金６が移動防止用の突起部１６を乗り越えた場合でも、ナット７、座金６および吊りボルト１の大孔部１４への移動およびそれによる器具落下を防止できる。この場合において、切欠部２１が座金６に対向し、つば部１８が座金６に重なることがないので、抜止めブッシング２０が座金６によって外されるおそれがない。すなわち図１（ｃ）のように切欠部２１がない場合、吊りボルト１が小孔部１５に移動した後抜止めブッシング２０が大孔部１４に装着されるので、座金６につば部１８が重なり、器具本体２とつば部１８との隙間に座金６が入り込むため、地震や振動で座金６が器具本体２から離れるときつば部１８を押し上げて抜止めブッシング２０が器具本体２から外れるおそれがある。
【００２４】
本発明の第２の実施の形態を図３から図５により説明する。第１の実施の形態と異なる点について説明する。すなわち、切欠部２１に臨むつば部１８の両端より外方に突出する突起２３を設け、大孔部１４に圧入された圧入部１７が回動しようとしたとき突起部１６に当たり、圧入部１７の回動を防止する。これにより抜止めブッシング２０が回動して大孔部１４から外れ落ちるのを防止することができる。
【００２５】
切欠部２１は、圧入部１７が大孔部１４に装着された状態で器具本体２に対して垂直ではなく器具本体２の下方に向いて傾斜しており、切欠部２１に座金６が当たった場合に圧入部１７が大孔部１４から外れる方向と反対に、圧入部１７を押し込む方向に圧入部１７を押し上げる作用をする。これにより万一、座金６が突起部１６を乗り越えた場合に、座金６が抜止めブッシング２０に当たることで、抜止めブッシング２０が外れるのを防ぐことができる。
【００２６】
さらに圧入部１７のつば部１８側の凹部１９内に、切欠部２１の中央と圧入部１７の中心軸を結ぶ方向に延びた把持部２５を突設している。これにより、座金６が突起部１６を乗り越えて抜止めブッシング２０の切欠部２１に当たった時の切欠部２１の補強になるとともに、抜止めブッシング２０を器具本体２に取付ける際に把持部２５をつまみやすく圧入部１７を大孔部１４に圧入しやすい。
【００２７】
また、つば部１８は下面の中央に沿って溝２８を形成するとともに、つば部１８の周方向に分断する複数の切欠２６を形成している。
【００２８】
なお、本発明において、吊りボルト１に限らず、他のねじを含むボルトを大孔部１４に挿通し、ボルト頭部および頭部に付した座金６を小孔部１５に係止する構成に対し、抜止めブッシング２０を適用してもよい。また圧入部１７の外周に大孔部１４の孔縁が嵌合する周溝を形成してもよい。切欠部２１は圧入部１７およびつば部１８に形成したが、つば部１８のみに形成してもよい。
【図面の簡単な説明】
【００２９】
【図１】（ａ）は本発明の第１の実施の形態の抜止めブッシングの取付状態の下面図、（ｂ）はそのＡ−Ａ線断面図、（ｃ）は切欠部がない抜止めブッシングの取付状態の下面図である。
【図２】照明器具の取付け前の分解斜視図である。
【図３】第２の実施の形態の抜止めブッシングの取付前の斜視図である。
【図４】抜止めブッシングの取付状態の下面図である。
【図５】（ａ）は抜止めブッシングの抜止めブッシングの下面図、（ｂ）はそのＢ−Ｂ線断面図、（ｃ）はＣ−Ｃ線断面図である。
【図６】従来例の抜止めブッシングをだるま穴に装着した状態の平面図である。
【符号の説明】
【００３０】
１    吊りボルト
２    器具本体
３    だるま穴
６    座金
７    ナット
１４    大孔部
１５    小孔部
１６    突起部
１７    圧入部
１８    つば部
１９    凹部
２０    抜止めブッシング
２１    切欠部
２３    突起
２５    把持部
【図１】
2006038083.tif 000003
【図２】
2006038083.tif 000004
【図３】
2006038083.tif 000005
【図４】
2006038083.tif 000006
【図５】
2006038083.tif 000007
【図６】
2006038083.tif 000008